(57)【要約】【課題】  平歯車に変形や破損を生じさせることなく歯車列組立体を容易に組み立てることができる組立用治具を提供する。【解決手段】  下方ハウジング部材１２からハウジング１３の外方へ突出した出力軸１４の下端部１４ｂを受け入れる受入部４０が設けられた組立用治具３７のブロック部材３８に、下方ハウジング部材１２内に出力軸１４、平歯車列１６及びばね部材３６を組み込んだ状態で、出力軸１４の下端部１４ｂが受入部４０に受け入れられたときに、出力軸１４に固定された最終段ギア３０のばね部材３６のばね力による所定の噛合位置からの浮き上がりによって平歯車列１６の噛合が解除されることを防止すべく、ばね部材３６のばね力に打ち勝って最終段ギア３０をその所定の噛合位置に保持させるために出力軸１４に磁気吸引力を作用させる磁石装置４２を設ける。【選択図】  図４
2005253246.tif 000002
【特許請求の範囲】
【請求項１】
上方ハウジング部材及び該上方ハウジング部材に嵌合される下方ハウジング部材を有するハウジングと、該ハウジング内に磁性材料からなり前記下方ハウジング部材から前記ハウジングの外方へ端部を突出させて配置される回転軸と、前記ハウジング内に収容される、前記回転軸に固定された平歯車を有する平歯車列及び前記回転軸の軸線方向の運動を規制すべく前記平歯車に前記上方ハウジング部材へ向けてのばね力を作用させるばね部材とを備える歯車列組立体のための組立用治具であって、前記回転軸の前記端部を前記回転軸の軸線方向にあそびをもって受け入れる受入部が設けられたブロック部材を備え、該ブロック部材には、前記上方ハウジング部材を前記下方ハウジング部材に嵌合させるに先立って、前記下方ハウジング部材内に前記回転軸、前記平歯車列及びばね部材を組み込んだ状態で、前記回転軸の前記端部が前記受入部に受け入れられたときに、前記ばね部材のばね力による前記回転軸の前記平歯車の所定の噛合位置からの浮き上がりによって前記平歯車列の噛合が解除されることを防止すべく、前記ばね部材のばね力に打ち勝って前記平歯車をその所定の噛合位置に保持させるために前記回転軸に磁気吸引力を作用させる磁石装置が設けられていることを特徴とする歯車列組立体のための組立用治具。
【請求項２】
前記歯車列組立体は、前記ハウジング内に収容され、前記平歯車列を経て前記回転軸に回転力を与える電動モータ本体を備えるモータであり、該モータを組み立てるのに用いられることを特徴とする請求項１に記載の組立用治具。
【請求項３】
前記回転軸は、前記モータの出力軸であり、該出力軸に固定された前記平歯車は前記平歯車列の最終段ギアであり、前記上方ハウジング部材を前記下方ハウジング部材に嵌合させる際、前記出力軸の一端部は前記上方ハウジング部材から前記ハウジングの外方へ突出することなく前記上方ハウジング部材に回転可能に支持され、前記回転軸の他端部は前記下方ハウジング部材から前記ハウジングの外方へ突出しており、前記磁石装置は前記出力軸の前記他端部に磁気吸引力を作用させることを特徴とする請求項２に記載の組立用治具。
【請求項４】
前記電動モータ本体は、ステータと該ステータとの電磁作用により回転するロータとを有し、前記平歯車列は、前記出力軸に固定された前記最終段ギアと、該最終段ギアと間隔をおいて配置され、前記ロータの回転軸に固定されるピニオンと、該ピニオン及び前記最終段ギアのそれぞれに噛合する平歯車を有する中間ギアとで構成されており、前記平歯車列を備える前記モータを組み立てるのに用いられることを特徴とする請求項２に記載の組立用治具。
【請求項５】
前記磁石装置は、永久磁石であることを特徴とする請求項１に記載の組立用治具。
【発明の詳細な説明】
【技術分野】
【０００１】
本発明は、平歯車列を備える歯車列組立体を組み立てるのに用いられる組立用治具に関する。
【背景技術】
【０００２】
従来、例えば車両に設けられた車速度計のような指針式計器には、その指針を車両の走行速度に応じた回動位置まで回動させるための駆動源として内部に歯車列が組み込まれたモータが用いられている（例えば、特許文献１乃至３参照。）。
【０００３】
このようなモータとして、下方ハウジング部材及び上方ハウジング部材を有するハウジング内に、指針が固定される端部を下方ハウジング部材からハウジングの外方へ突出させて配置された出力軸と、電動モータ本体と、該電動モータ本体の回転力を出力軸に伝える平歯車列とが収容されたものが知られている。
【０００４】
出力軸には、平歯車列の最終段ギアが固定されている。出力軸に固定された最終段ギアと下方ハウジング部材との間には、最終段ギアに上方ハウジング部材へ向けてのばね力を作用させるためのばね部材が設けられている。このばね部材のばね力により、出力軸はその軸方向の運動が規制される。
【０００５】
モータを組み立てるのに用いられる組立用治具は、出力軸の突出端部を受け入れる受入部が設けられたブロック部材を備える。
【０００６】
この組立用治具によれば、下方ハウジング部材を組立用治具のブロック部材上に載せた状態で出力軸の突出端部を受入部に受け入れることができることから、ブロック部材上で下方ハウジング部材が安定するため、電動モータ本体、出力軸、平歯車列及びばね部材を下方ハウジング部材内に容易に組み込むことができる。
【特許文献１】特開２００１−３３９９３２号（第３−５頁、第２図）
【特許文献２】特開２００１−３１７９７０号（第３−５頁、第３図）
【特許文献３】特開平１０−９４２３７号（第３−４頁、第２図）
【発明の開示】
【発明が解決しようとする課題】
【０００７】
モータの組立時、下方ハウジング部材内に電動モータ本体、出力軸、平歯車列及びばね部材を組み込んだ状態では、出力軸に固定された最終段ギアは、ばね部材のばね力により所定の噛合位置から浮き上がり、これにより、平歯車列の噛合が解除されてしまう。平歯車列の噛合が解除された状態では、下方ハウジング部材に上方ハウジング部材を嵌合させることができない。そのため、上方ハウジング部材を下方ハウジング部材に嵌合させるまで、ばね部材のばね力に打ち勝って最終段ギアを所定の噛合位置に保持させておく必要がある。しかしながら、最終段ギアを所定の噛合位置に保持させるには、たとえ組立用治具を用い、この組立用治具上でモータを組み立てても最終段ギアを所定の噛合位置に押さえつけておく手間がかかってしまい、両ハウジング部材を互いに容易に嵌合させることができない。また、組立用治具上で最終段ギアを押さえつけずに、平歯車列の噛合が解除された状態でばね部材のばね力に打ち勝って両ハウジング部材を互いに嵌合させようとすると、噛合が解除された平歯車同士が互いに当接することにより、各平歯車が変形したり、各平歯車の歯が欠けてしまったりする虞がある。このため、組み立てられたモータが検査段階で欠陥品であると判断され、廃却されてしまう。
【０００８】
本発明の目的は、平歯車に変形や破損を生じさせることなく歯車列組立体を容易に組み立てることができる組立用治具を提供することにある。
【課題を解決するための手段】
【０００９】
上記課題を解決するために、請求項１に記載の発明は、上方ハウジング部材及び該上方ハウジング部材に嵌合される下方ハウジング部材を有するハウジングと、該ハウジング内に磁性材料からなり前記下方ハウジング部材から前記ハウジングの外方へ端部を突出させて配置される回転軸と、前記ハウジング内に収容される、前記回転軸に固定された平歯車を有する平歯車列及び前記回転軸の軸線方向の運動を規制すべく前記平歯車に前記上方ハウジング部材へ向けてのばね力を作用させるばね部材とを備える歯車列組立体のための組立用治具であって、前記回転軸の前記端部を前記回転軸の軸線方向にあそびをもって受け入れる受入部が設けられたブロック部材を備え、該ブロック部材には、前記上方ハウジング部材を前記下方ハウジング部材に嵌合させるに先立って、前記下方ハウジング部材内に前記回転軸、前記平歯車列及びばね部材を組み込んだ状態で、前記回転軸の前記端部が前記受入部に受け入れられたときに、前記ばね部材のばね力による前記回転軸の前記平歯車の所定の噛合位置からの浮き上がりによって前記平歯車列の噛合が解除されることを防止すべく、前記ばね部材のばね力に打ち勝って前記平歯車をその所定の噛合位置に保持させるために前記回転軸に磁気吸引力を作用させる磁石装置が設けられていることを特徴とする。
【００１０】
請求項１に記載の構成では、組立用治具のブロック部材に設けられた受入部に回転軸が受け入れられたときに、該回転軸に磁気吸引力を作用させる磁石装置がブロック部材に設けられている。この磁石装置の磁気吸引力によって回転軸が吸引されることにより、回転軸に固定された平歯車は、ばね部材のばね力に打ち勝って所定の噛合位置に保持される。これにより、下方ハウジング部材内に回転軸、ばね部材及び平歯車列を組み込んだ状態で、回転軸の平歯車の浮き上がりによる平歯車列の噛合の解除が防止される。従って、上方ハウジング部材を下方ハウジング部材に嵌合させる際に、従来のように平歯車を所定の噛合位置に押しつける手間をかけたり、噛合が解除された平歯車同士が互いに当接することによる従来のような平歯車の変形や破損を招いたりすることなく、上方ハウジング部材を下方ハウジング部材に容易に嵌合させることができる。
【００１１】
請求項２に記載の発明は、請求項１に記載の発明において、前記歯車列組立体は、前記ハウジング内に収容され、前記平歯車列を経て前記回転軸に回転力を与える電動モータ本体を備えるモータであり、該モータを組み立てるのに用いられることを特徴とする。
【００１２】
請求項２に記載の構成では、本発明に係る組立用治具を、ハウジング内に収容され、前記平歯車列を経て前記回転軸に回転力を与える電動モータ本体を備えるモータを組み立てるのに用いることができる。この場合、回転軸にブロック部材の磁石装置の磁気吸引力を作用させることにより、平歯車列の平歯車に変形や破損を生じさせることなく容易にモータを組み立てることができる。
【００１３】
請求項３に記載の発明は、請求項２に記載の発明において、前記回転軸は、前記モータの出力軸であり、該出力軸に固定された前記平歯車は前記平歯車列の最終段ギアであり、前記上方ハウジング部材を前記下方ハウジング部材に嵌合させる際、前記出力軸の一端部は前記上方ハウジング部材から前記ハウジングの外方へ突出することなく前記上方ハウジング部材に回転可能に支持され、前記回転軸の他端部は前記下方ハウジング部材から前記ハウジングの外方へ突出しており、前記磁石装置は前記出力軸の前記他端部に磁気吸引力を作用させることを特徴とする。
【００１４】
請求項３に記載の構成では、回転軸にモータの出力軸を用いることができ、該出力軸に固定される平歯車に平歯車列の最終段ギアを用いることができる。また、上方ハウジング部材を下方ハウジング部材に嵌合させる際に一端部が上方ハウジング部材からハウジングの外方へ突出することなく上方ハウジング部材に回転可能に支持される出力軸の、下方ハウジング部材からハウジングの外方へ突出した他端部に磁石装置の磁気吸引力を作用させることができる。
【００１５】
請求項４に記載の発明は、請求項２に記載の発明において、前記電動モータ本体は、ステータと該ステータとの電磁作用により回転するロータとを有し、前記平歯車列は、前記出力軸に固定された前記最終段ギアと、該最終段ギアと間隔をおいて配置され、前記ロータの回転軸に固定されるピニオンと、該ピニオン及び前記最終段ギアのそれぞれに噛合する平歯車を有する中間ギアとで構成されており、前記平歯車列を備える前記モータを組み立てるのに用いられることを特徴とする。
【００１６】
請求項４に記載の構成では、本発明に係る組立用治具を、出力軸に固定された最終段ギアと、最終段ギアと間隔をおいて配置され、ロータの回転軸に固定されるピニオンと、ピニオン及び最終段ギアのそれぞれに噛合する平歯車を有する中間ギアとで構成された平歯車列を備えるモータを組み立てるのに用いることができる。
【００１７】
請求項５に記載の発明は、請求項１に記載の発明において、前記磁石装置は、永久磁石であることを特徴とする。
【００１８】
請求項５に記載の構成では、磁石装置に永久磁石を用いることができる。
【発明の効果】
【００１９】
本発明によれば、組立用治具のブロック部材に設けられた受入部に回転軸が受け入れられたときに、該回転軸に磁気吸引力を作用させる磁石装置がブロック部材に設けられている。この磁石装置の磁気吸引力によって回転軸が吸引されることにより、回転軸に固定された平歯車は、ばね部材のばね力に打ち勝って所定の噛合位置に保持される。これにより、下方ハウジング部材内に回転軸、ばね部材及び平歯車列を組み込んだ状態で、回転軸の平歯車の浮き上がりによる平歯車列の噛合の解除が防止される。従って、上方ハウジング部材を下方ハウジング部材に嵌合させる際に、従来のように平歯車を所定の噛合位置に押しつける手間をかけたり、噛合が解除された平歯車同士が互いに当接することによる従来のような平歯車の変形や破損を招いたりすることなく、上方ハウジング部材を下方ハウジング部材に容易に嵌合させることができる。
【発明を実施するための最良の形態】
【００２０】
本発明を図示の実施例に沿って説明する。
【実施例】
【００２１】
本実施例では、本発明に係る組立用治具を、車両に設けられる車速度計のような指針式計器に組み込まれるモータを組み立てるのに用いた例を示す。
【００２２】
指針式計器に組み込まれるモータ１０は、図１に示す例では、上方ハウジング部材１１と、該上方ハウジング部材に嵌合可能な下方ハウジング部材１２とを有するハウジング１３を備える。ハウジング１３内には、図示しない指針が固定される出力軸１４と、電動モータ本体１５と、該電動モータ本体の回転力を出力軸１４に伝える平歯車列１６とが収容されている。
【００２３】
上方ハウジング部材１１は、頂壁１７と、該頂壁の周縁から下方へ延びる周壁１８とを有する。周壁１８には、下方ハウジング部材１２に設けられた後述する突起部１９に両ハウジング部材１１，１２の相互の嵌合時に係合可能な係合部２０が設けられている。
【００２４】
下方ハウジング部材１２は、底壁２１と、該底壁の周縁から立ち上がる周壁２２とを備える。周壁２２には、上方ハウジング部材１１の係合部２０に係合可能な前記した突起部１９が設けられている。
【００２５】
出力軸１４は、磁性材料からなり、その上端部１４ａが上方ハウジング部材１１からハウジング１３の外方へ突出することなく上方ハウジング部材１１に設けられた軸受部２３に回転可能に支持されている。また、出力軸１４の下端部１４ｂは、下方ハウジング部材１２の底壁２１に該底壁から下方へ延びる軸受部２４に回転可能に支持されており、該軸受部からハウジング１３の外方へ突出している。軸受部２４から突出した下端部１４ｂに、前記指針が固定される。
【００２６】
電動モータ本体１５は、ステータ２５及びロータ２６を有する。ロータ２６は、全体に円柱状をなしており、その周方向に異磁極の磁極面が交互に配列されている。ロータ２６には、支持軸２８が設けられている。支持軸２８は、その各端部２８ａ，２８ｂで上方及び下方ハウジング部材１１，１２の頂壁１７及び底壁２１に設けられた各軸受部２７ａ，２７ｂに支持されている。これにより、ロータ２６は支持軸２８の周りに回転可能に支持される。ロータ２６の一方の端面には、該ロータと同軸的にピニオン２９が固定されている。ピニオン２９は、ロータ２６と一体的に回転する。ステータ２５は、例えばケイ素鋼板のような金属板の積層板からなり、ハウジング１３内でロータ２６を取り巻いて配置される図示しない従来よく知られた複数の界磁コイルを備える。
【００２７】
前記各界磁コイルに位相をずらせたパルス電流が供給されると、従来よく知られているように、前記各界磁コイルとロータ２６の磁極面との間に磁気吸引力及び磁気排斥力が生じる。この磁気作用力により、ロータ２６は支持軸２８の周りに前記各界磁コイルへのパルス電流の給電に応じて回転する。
【００２８】
平歯車列１６は、出力軸１４に固定され、該出力軸と一体的に回転する最終段ギア３０と、ロータ２６に固定されたピニオン２９と、該ピニオン及び最終段ギア３０の間に設けられた中間ギア３１とを備える。
【００２９】
中間ギア３１は、回転軸３３と、該回転軸に互いに同軸的に固定された大径ギア部３４及び小径ギア部３５とを備える。
【００３０】
回転軸３３は、その各端部３３ａ，３３ｂがそれぞれ上方及び下方ハウジング部材１１，１２の頂壁１７及び底壁２１に設けられた各軸受部３２ａ，３２ｂに回転可能に支持されている。
【００３１】
大径ギア部３４及び小径ギア部３５は、図示の例では、互いに一体的に結合されており、互いに一体的に回転する。大径ギア部３４は、ロータ２６に固定されたピニオン２９に噛合する。小径ギア部３５は、大径ギア部３４の径よりも小さい径を有し、出力軸１４に固定された最終段ギア３０に噛合する。
【００３２】
最終段ギア３０と下方ハウジング部材１２の底壁２１との間には、出力軸１４の挿通を許す挿通孔３６ａが形成されたばね部材３６が設けられている。ばね部材３６は、例えば板ばねからなり、最終段ギア３０に上方ハウジング部材１１へ向けてのばね力を作用させる。このばね部材３６のばね力により、最終段ギア３０は、モータ１０の組立状態では、上方ハウジング部材１１に設けられた軸受部２３に当接するように保持される。これにより、最終段ギア３０が固定された出力軸１４は、モータ１０の組立状態でその軸方向の運動が規制される。
【００３３】
ステータ２５の前記各界磁コイルに例えば車両の走行速度を示すパルス電流が供給されると、従来よく知られているように、そのパルス電流に応じたロータ２６の回転は該ロータの回転軸２８に固定されたピニオン２９、中間ギア３１及び最終段ギア３０を経て減速され、その減速された回転が出力軸１４に伝わる。これにより、出力軸１４の下端部１４ｂに固定された前記指針が走行速度に応じた回動位置まで回動する。
【００３４】
このモータ１０を組み立てるための組立用治具３７は、図２に示すように、縦断面が矩形状のブロック部材３８を備える。ブロック部材３８は、望ましくは非磁性金属で成形されている。
【００３５】
ブロック部材３８には、モータ１０の組立時に下方ハウジング部材１２をブロック部材３８の上面３８ａ上に載せた際、下方ハウジング部材１２の底壁２１に設けられた軸受部２４及び該軸受部から突出した出力軸１４の下端部１４ｂを受け入れるための受入部４０が設けられている。受入部４０は、図示の例では、ブロック部材３８の上面３８ａに開放する凹状をなしており、出力軸１４の下端部１４ｂをその軸線方向にあそびをもって受け入れ可能な深さを有する。
【００３６】
ブロック部材３８の上面３８ａには、受入部４０に軸受部２４及び出力軸１４の下端部１４ｂを受け入れた状態で、下方ハウジング部材１２の底壁２１に嵌合可能な嵌合部３９が形成されている。嵌合部３９への下方ハウジング部材１２の底壁２１の嵌合により、下方ハウジング部材１２のブロック部材３８の上面３８ａに沿った移動が拘束されるため、モータ１０の組み立て作業を安定して行うことができる。
【００３７】
更に、本発明に係る組立用治具３７には、モータ１０の組立を容易にするための磁石装置４２と、該磁石装置を収容するための収容部４１が設けられている。
【００３８】
収容部４１は、図示の例では、受入部４０の下方に設けられている。収容部４１の上端４１ａは、受入部４０の閉鎖端である底面４０ａで受入部４０内へ開放し、下端４１ｂはブロック部材３８の下面３８ｂでブロック部材３８の下方へ開放している。
【００３９】
磁石装置４２は、図示の例では、永久磁石４３と、該永久磁石を収容部４１内に保持すべく該収容部の下端４１ｂを塞ぐ板部材４４と、該板部材をブロック部材３８に固定するためのボルトのような締結具４５とを備える。
【００４０】
永久磁石４３は、受入部４０に出力軸１４の下端部１４ｂを受け入れたとき、該下端部に出力軸１４の軸線方向に受入部４０の底面４０ａへ向けての磁気吸引力を作用させる。この磁気吸引力により、出力軸１４に固定された最終段ギア３０は、ばね部材３６のばね力に打ち勝って所定の噛合位置に保持される。
【００４１】
モータ１０を組み立てる際、図３に示すように、下方ハウジング部材１２内に、ステータ２５及びロータ２６を配置する。ロータ２６は、該ロータに固定されたピニオン２９がロータ２６の上に位置するように支持軸２８に軸支されて下方ハウジング部材１２内に配置される。ステータ２５は、その前記各界磁コイルがロータ２６を取り巻くように下方ハウジング部材１２内に配置される。
【００４２】
更に、下方ハウジング部材１２内に、ばね部材３６と、最終段ギア３０が固定された出力軸１４とを配置する。出力軸１４は、該出力軸に固定された最終段ギア３０がばね部材の上に載るように、ばね部材３６の挿通孔３６ａ及び下方ハウジング部材１２の底壁２１の軸受部２４に挿通されて配置される。
【００４３】
次に、回転軸３３が固定された中間ギア３１を下方ハウジング部材１２内に配置する。中間ギア３１は、そのロータ２６に固定されたピニオン２９に噛合する大径ギア部３４の一部が最終段ギア３０に載るように下方ハウジング部材１２に配置される。
【００４４】
下方ハウジング部材１２にステータ２５、ピニオン２９が固定されたロータ２６、ばね部材３６、最終段ギア３０が固定された出力軸１４及び中間ギアが組み込まれた状態では、ばね部材３６のばね力に打ち勝って最終段ギア３０を所定の噛合位置に押し付けていない限り、最終段ギア３０はばね部材３６のばね力により所定の噛合位置から浮き上がる。このため、最終段ギア３０の上に一部が載る大径ギア部３４は、最終段ギア３０の浮き上がりによりロータ２６のピニオン２９の上方へ浮き上がり、該ピニオンとの噛合が解除されてしまう。
【００４５】
下方ハウジング部材１２に上方ハウジング部材１１を嵌合させるに先立って、この最終段ギア３０の浮き上がりによるロータ２６に固定されたピニオン２９と大径ギア部３４との噛合の解除を防止するために、本発明に係る組立用治具３７が用いられる。
【００４６】
ステータ２５、ピニオン２９が固定されたロータ２６、ばね部材３６、最終段ギア３０が固定された出力軸１４及び中間ギアが組み込まれた下方ハウジング部材１２を、図４に示すように、組立用治具３７のブロック部材３８の上面３８ａに載せる。下方ハウジング部材１２をブロック部材３８の上面３８ａに載せた状態では、下方ハウジング部材１２の底壁２１の軸受部２４及び該軸受部から突出した出力軸１４の下端部１４ｂはブロック部材３８の受入部４０に挿入され、下方ハウジング部材１２の底壁２１はブロック部材３８の上面３８ａに形成された嵌合部３９に嵌合される。このとき、受入部４０に受け入れられた出力軸１４の下端部１４ｂは、ブロック部材３８に設けられた磁石装置４２の永久磁石４３から磁気吸引力を受けることにより、受入部４０の底面４０ａへ向けて永久磁石４３に吸引される。これにより、出力軸１４に固定された最終段ギア３０は、その所定の噛合位置に保持されるため、噛合が解除されていたロータ２６のピニオン２９と中間ギア３１の大径ギア部３４とが所定の噛合位置に保持される。
【００４７】
永久磁石４３の磁気吸引力により最終段ギア３０が所定の噛合位置に保持されることによってロータ２６のピニオン２９及び中間ギア３１の大径ギア部３４が所定の噛合位置に保持された状況下で、上方ハウジング部材１１を下方ハウジング部材１２に被せる。このとき、上方ハウジング部材１１の頂壁１７に設けられた各軸受部２３，２７ａ，３２ａを、出力軸１４、中間ギア３１の回転軸３３及びロータ２６を支持する支持軸２８の各上端部１４ａ，２８ａ，３３ａに整合させる。その後、上方ハウジング部材１１を下方ハウジング部材１２へ向けて押し下げ、下方ハウジング部材１２の周壁２２に設けられた突起部１９に上方ハウジング部材１１の周壁１８に設けられた係合部２０を係合させる。この係合により、上方ハウジング部材１１と下方ハウジング部材１２との嵌合が完了し、モータ１０の組立が終了する。
【００４８】
本実施例によれば、前記したように、モータ１０の組立時に用いられる組立用治具３７のブロック部材３８に、該ブロック部材の受入部４０に受け入れられた出力軸１４の下端部１４ｂに磁気吸引力を作用させる磁石装置４２が設けられている。このため、ブロック部材３８上でモータ１０を組み立てる際、出力軸１４に固定された最終段ギア３０は磁石装置４２の磁気吸引力によりばね部材３６のばね力に打ち勝って所定の噛合位置に保持される。これにより、下方ハウジング部材１２内に電動モータ本体１５、出力軸１４、ばね部材３６及び平歯車列１６を組み込んだ状態で、最終段ギア３０の浮き上がりによる中間ギア３１の大径ギア部３４とロータ２６に固定されたピニオン２９との噛合の解除が防止される。従って、上方ハウジング部材１１を下方ハウジング部材１２に嵌合させる際に、従来のように最終段ギア３０を所定の噛合位置に押しつける手間をかけたり、又は噛合が解除された平歯車同士が互いに当接することによる従来のような平歯車の変形や破損を招いたりすることなく、上方ハウジング部材１１を下方ハウジング部材１２に容易に嵌合させることができる。
【００４９】
本実施例では、組立用治具３７のブロック部材３８に形成された受入部４０がブロック部材３８の上面３８ａに開放する凹状をなしている例を示したが、受入部４０をその両端がブロック部材３８の上面３８ａ及び下面３８ｂにそれぞれ開放する筒状に形成することができる。この場合、磁石装置４２を受入部４０内に設けることができる。
【００５０】
また、本実施例では、磁石装置４２に永久磁石４３が用いられた例を示したが、これに代えて、例えば電磁石のような永久磁石以外の磁石を用いることができる。
【００５１】
更に、本実施例では、下方ハウジング部材１２内に出力軸１４、電動モータ本体１５、平歯車列１６及びばね部材３６を組み込んだ後、組立用治具３７のブロック部材３８上に載せた例を示したが、下方ハウジング部材１２をブロック部材３８に載せ、該ブロック部材上で下方ハウジング部材１２内に出力軸１４、電動モータ本体１５、平歯車列１６及びばね部材３６を組み込むことができる。
【００５２】
また、本実施例では、本発明に係る組立用冶具３７を車両に設けられた指針式計器に組み込まれるモータ１０を組み立てるのに用いた例を示したが、本発明に係る組立用冶具３７を、例えば車両に設けられるモータ１０以外のモータや、モータ以外で平歯車列が組み込まれた歯車列組立体等を組み立てるのに用いることができる。
【００５３】
また、本実施例では、ロータ２６のピニオン２９、中間ギア３１及び出力軸１４に固定された最終段ギア３０で構成された平歯車列１６を用いた例を示したが、これら以外の平歯車を備えた平歯車列、又はこれらのうちのいくつかで構成された平歯車列を用いることができる。
【図面の簡単な説明】
【００５４】
【図１】本実施例に係るモータを概略的に示す縦断面図である。
【図２】本発明に係る組立用治具を概略的に示す縦断面図である。
【図３】本実施例に係るモータの下方ハウジング部材内に出力軸、電動モータ本体、平歯車列及びばね部材を組み込んだ状態を概略的に示す縦断面図である。
【図４】本発明に係る組立用治具を用いたモータの組立状況を概略的に示す縦断面図である。
【符号の説明】
【００５５】
１１  上方ハウジング部材
１２  下方ハウジング部材
１３  ハウジング
１４ｂ  端部（出力軸の下端部）
１４  回転軸（出力軸）
３０  平歯車（最終段ギア）
１６  平歯車列
３６  ばね部材
１０  歯車列組立体（モータ）
３７  組立用治具
４０  受入部
３８  ブロック部材
４２  磁石装置
【図１】
2005253246.tif 000003
【図２】
2005253246.tif 000004
【図３】
2005253246.tif 000005
【図４】
2005253246.tif 000006